(57)【特許請求の範囲】
【請求項１】
回線との間でアナログ信号を送受信するための半導体ＤＡＡと、
信号の変復調処理を行う一方で、自装置の待機中にも動作するＤＳＰと、
を備えた通信装置であって、
前記回線に接続された前記半導体ＤＡＡの一次側デバイスと、
前記半導体ＤＡＡの一次側デバイスの出力側に接続され、変復調のための第１の信号を前記ＤＳＰとの間で授受するとともに、リング、フック又は極性反転を検出するための第２の信号を出力する半導体ＤＡＡの二次側デバイスと、
前記回線に接続されたアナログ信号インタフェースと、
前記アナログ信号インタフェースからの出力と前記半導体ＤＡＡの二次側デバイスから出力される前記第２の信号とを切り換える切換回路と、
前記切換回路によって切り換えられた信号を入力し、リング、フック又は極性反転を検出する検出回路と、
消費電力値に応じたＣＰＵからの指示に基づいて前記切換回路を切り換えることによって、前記回線との接続端子、前記半導体ＤＡＡ一次側デバイス、前記半導体ＤＡＡ二次側デバイス、及び前記ＤＳＰからなる第１の経路、前記回線との接続端子、前記半導体ＤＡＡ一次側デバイス、前記半導体ＤＡＡ二次側デバイス、前記切換回路、及び前記検出回路からなる第２の経路、前記回線との接続端子、前記アナログ信号インタフェース、前記切換回路、及び前記検出回路からなる第３の経路の何れかの経路を、回線からの着信に係る信号経路として選択する信号経路選択手段とを備えたことを特徴とする通信装置。
【請求項２】
前記通信装置は、ファクシミリ装置である
ことを特徴とする請求項１記載の通信装置。
【発明の詳細な説明】
【０００１】
【発明の属する技術分野】
本発明は、回線との間でアナログ信号を送受信するための半導体ＤＡＡと、信号の変復調処理を行う一方で、自装置の待機中にも動作するＤＳＰと、を備えた通信装置に関する。
【０００２】
【従来の技術】
近年、インターネット、デジタル携帯電話等のデータ通信が普及するに伴い、携帯端末、小型端末等の通信装置の小型化が進んでいる。
【０００３】
しかし、公衆電話回線に接続する通信装置、すなわちモデム内蔵の通信装置では、回線との接続に、直流絶縁の目的で、比較的大きな形状のトランスが必要であり、これが装置の小型化を阻害する要因となっていた。ところが、最近では、半導体技術、アイソレーション技術が進み、従来のトランスの機能を他のデバイス等によって代用するモデムが登場し、普及しつつある。
【０００４】
たとえば、特開平５−１３２０４３は、従来の大型のトランスに代り、集積化されたアナログ回路と、従来のトランスより極めて小型なパルストランスにより、ＤＡＡを構成している。
【０００５】
また、パルストランスではなく、コンデンサと半導体ＤＡＡによるアイソレーション技術で同様な機能を実現した技術も知られている。この半導体素子を用いたＤＡＡ（シリコンＤＡＡ）は、半導体デバイスプロセスの進歩により、将来、一層の低コスト化が見込まれ、さらに機能を実現するための部品点数の削減、基板面積の縮小等により、たとえばファクシミリのように携帯端末ではない通信装置に採用した場合にも、装置の低コスト化を実現することが可能となる。
【０００６】
また、シリコンＤＡＡのシステム側（二次側）のデバイスを、モデムＬＳＩに内蔵することで、一層の低コスト化を図ることができる。
【０００７】
【発明が解決しようとする課題】
ところが、これらのシリコンＤＡＡを用いたモデムをファクシミリに用いた場合には、以下のような不具合がある。すなわち、ファクシミリ装置では、省エネに対する配慮等から、その消費電力を低減することが強く求められている。特に、オペレータによる操作がなく、回線からの着信を待っているだけの待機モードでは、たとえばオペレータからの操作や回線からの着信を監視する機能以外の回路動作を抑制することにより、不要な電力消費を抑えることが行われる。
【０００８】
変復調処理を担うモデムのＤＳＰは、高速の信号処理を行うために、その動作時の消費電力は比較的大きい。このため、ファクシミリの待機状態では、モデムへの電源供給を行わないか、あるいは低消費電力動作へ移行させる。
ところが、上述のようなシリコンＤＡＡを用いた場合には、外部からの着信は、ＤＳＰとのデジタルインタフェースを介して通知されるため、省電力動作時であってもＤＳＰを動作させておく必要がある。このため、ファクシミリ装置の消費電力が、従来のトランスタイプのＤＡＡを用いた場合より大きくなってしまうという不具合がある。
【００１１】
本発明の目的は、消費電力値に応じて、回線からの着信手段を選択することで、より広い範囲の装置の状態に対応可能な通信装置を提供することにある。
【００１３】
【課題を解決するための手段】
本発明は、回線との間でアナログ信号を送受信するための半導体ＤＡＡと、信号の変復調処理を行う一方で、自装置の待機中にも動作するＤＳＰと、を備えた通信装置であって、上記回線に接続された上記半導体ＤＡＡの一次側デバイスと、上記半導体ＤＡＡの一次側デバイスの出力側に接続され、上記ＤＳＰとの間で授受する変復調のための第１の信号とリング、フック又は極性反転を検出するための第２の信号とを出力する半導体ＤＡＡの二次側デバイスと、上記回線に接続されたアナログ信号インタフェースと、上記アナログ信号インタフェースからの出力と上記半導体ＤＡＡの二次側デバイスから出力される上記第２の信号とを切り換える切換回路と、上記切換回路によって切り換えられた信号を入力し、リング、フック又は極性反転を検出する検出回路とと、消費電力値に応じたＣＰＵからの指示に基づいて上記切換回路を切り換えることによって、上記回線との接続端子、上記半導体ＤＡＡ一次側デバイス、上記半導体ＤＡＡ二次側デバイス、及び上記ＤＳＰからなる第１の経路、上記回線との接続端子、上記半導体ＤＡＡ一次側デバイス、上記半導体ＤＡＡ二次側デバイス、上記切換回路、及び上記検出回路からなる第２の経路、上記回線との接続端子、上記アナログ信号インタフェース、上記切換回路、及び上記検出回路からなる第３の経路の何れかの経路を、回線からの着信に係る信号経路として選択する信号経路選択手段とを備えたものである。
【００１４】
また、前記通信装置は、ファクシミリ装置である。
【００１９】
【発明の実施の形態】
図１は本発明のモデムＬＳＩの一実施形態を示す説明図である。図１は、モデムＬＳＩ１２とファクシミリ装置１の周辺回路のブロック図を示している。
従来の網制御部に相当する電話回線Ｌとファクシミリ装置１とのインタフェースは、シリコンＤＡＡの一次側デバイス１１１と、モデムＬＳＩ１２に内蔵されたシリコンＤＡＡの二次側デバイス１２１に分担される。
【００２０】
一次側デバイス１１１と二次側デバイス１２１との間は、たとえばコンデンサ、フォトカプラ等のトランス以外の絶縁手段１３にて直流的に絶縁されて、信号授受を行う。
【００２１】
シリコンＤＡＡは、回線Ｌからの着呼検出、回線Ｌへ発呼処理等の網制御機能と、回線Ｌと授受するアナログ信号を、送信・受信するという、二つの機能を担う。
【００２２】
この機能のために、シリコンＤＡＡの二次側デバイス１２１は、図１に示したように通常、変復調を担うＤＳＰ１２２と接続される。網制御機能は、ホストＣＰＵ１４１が、モデムＬＳＩ１２の外部ホストインタフェース１２３または１２５経由で指示、あるいは確認することで実現される。なお、図１では、ホストＣＰＵ１４１は、プログラムＲＯＭ１４２、データＲＡＭ１４３、操作部１４４等に接続されている。
【００２３】
本実施形態では、シリコンＤＡＡの二次側デバイス１２１から、特に、ファクシミリ等の通信装置が待機中に監視すべき、リング、フックまたは極性反転の事象を検出するために必要な信号をＤＳＰ１２２への接続とは、別途に出力する。
【００２４】
この信号は、回線Ｌで発生した事象を、実時間で出力する粗信号でよい。リング・フック・極性反転検出回路１２４は、シリコンＤＡＡが、出力された粗信号の、周波数、ケイデンス、継続時間を計測し、これらがホストＣＰＵ１４１からあらかじめ設定された条件に合致した場合に、それぞれの事象の検出をホストインタフェース１２３または１２５を経由してホストＣＰＵ１４１に通知する。
【００２５】
本実施形態では、回線からの着信等を待っている待機状態では、ＤＳＰ１２２を介さずに回線からの着信を監視するので、ＤＳＰ１２２の消費電力を抑制することができ、装置の省電力動作時の消費電力を低減することができる。
【００２６】
図２は本発明のモデムＬＳＩの他の実施形態を示す説明図である。図２は、モデムＬＳＩ２２とファクシミリ装置２の周辺回路のブロック図を示している。
【００２７】
本実施形態においても、シリコンＤＡＡの二次側デバイス２２１から、ファクシミリ装置が待機中に監視すべき、リング、フック、極性反転の事象を検出するために必要な信号をＤＳＰ２２２への接続とは、別途に出力する。この信号は、回線Ｌで発生した事象を、実時間で出力する粗信号でよい。本実施形態のモデムＬＳＩ２２は、シリコンＤＡＡを経由した一次側回路２１からの入力の他に、回線Ｌの事象を監視する経路と、経路の切り替えのための切り替え回路２２４を持つ。切り替え回路２２４は、第２のホストインタフェース２２６を介したホストＣＰＵ２４１からの指示により、
（１）回線Ｌの外部端子、ＤＡＡ一次側デバイス２１１、ＤＡＡ二次側デバイス２２１、ＤＳＰ２２２、および第１のホストインタフェース２２３の経路、（２）回線Ｌの外部端子、ＤＡＡ一次側デバイス２１１、ＤＡＡ二次側デバイス２２１、切替え回路２２４、リング・フック・極性反転検出回路２２５、および第２のホストインタフェース２２６の経路、（３）回線Ｌの外部端子、アナログ信号インタフェース（検知回路２１２）、切替え回路２２４、前記リング・フック・極性反転検出回路２２５、および第２のホストインタフェース２２６の経路、の何れかによりホストへの通知をすることができる。なお、図２では、ホストＣＰＵ２４１は、プログラムＲＯＭ１４２、データＲＡＭ１４３、操作部２４４等に接続されている。
【００２８】
シリコンＤＡＡを経由しない回線事象（リング・フック・極性反転）の監視経路においては、別途、専用の検知回路２１２と絶縁手段２３２が必要となるが、回線事象の監視のためだけに用いることから、送受信アナログ信号を通過させる絶縁手段２３１よりは、簡易かつ安価な構成の回路で充分に使用できる。
【００２９】
リング・フック・極性反転検出回路２２５は、切り替え回路２２４によって、選択されたいずれかの粗信号の、周波数、ケイデンス、継続時間を計測し、ホストＣＰＵ２４１からあらかじめ設定された条件に合致した場合に、それぞれの事象の検出を第２のホストインタフェース２２３，２２６を経由してホストＣＰＵ２４１に通知する。
【００３０】
本実施形態では、モデムＬＳＩ２２は、回線Ｌからの着信等を待っている待機状態では、シリコンＤＡＡを使用せず、また、ＤＳＰ２２２を介さずに回線Ｌからの着信を監視するため、シリコンＤＡＡとＤＳＰ２２２の消費電力を抑制することができ、ファクシミリ装置の省電力動作時の消費電力を低減することができる。
【００３１】
また、ファクシミリ装置２では、ＤＳＰ２２を介さずに回線からの着信を監視するため、ＤＳＰ２２２の消費電力を抑制し、ファクシミリ装置２の省電力動作時の消費電力を低減することができる。
また、回線からの着信等を待っている待機モードにおいて、ＤＳＰを介さずに回線からの着信を監視する手段を持つようにすれば、ＤＳＰの消費電力を抑制し、装置の省電力動作時の省電力化を図ることができる。
また、回線からの着信等を待っている待機モードにおいて、シリコンＤＡＡとＤＳＰの何れをも介さずに回線からの着信を監視する手段を持つようにすれば、ＤＳＰの消費電力を抑制し装置の省電力動作時の消費電力を低減することができる。
また、搭載される装置に要求される、消費電力値に応じて、回線からの着信手段を選択するようにすれば、より広い範囲の装置に搭載し得るモデム用ＬＳＩを実現することができる。
また、ＤＳＰを介さずに回線からの着信を監視する手段を持つようにすれば、ＤＳＰの消費電力を抑制し、装置の省電力動作時の消費電力を低減することができる。
【００３２】
【発明の効果】
以上のような本発明の通信装置によれば、消費電力値に応じて回線からの着信に係る３つの信号経路を選択することにより、通常動作状態時に対応した半導体ＤＡＡとＤＳＰを経由する第１の経路と、省電力状態時に対応した半導体ＤＡＡとＤＳＰいずれも経由しない第３の経路との切り換えに加えて、半導体ＤＡＡまでを経由してＤＳＰを経由しない第２の経路に信号経路を切り換えることができ、そのために、消費電力の抑制に資する効果を得る。
【図面の簡単な説明】
【図１】本発明のモデムＬＳＩの一実施形態を示す説明図である。
【図２】本発明のモデムＬＳＩの他の実施形態を示す説明図である。
【符号の説明】
１，２  ファクシミリ装置
１１，２１  １次側回路
１２  モデムＬＳＩ
１３，２３１，２３２  絶縁手段
１１１，２１１  一次側デバイス
１２１，２２１  ＤＡＡの二次側デバイス
１２２，２２２  ＤＳＰ
１２３，２２３  第１の外部ホストインタフェース
１２４，２２５  リング・フック・極性反転検出回路
１２５，２２６  第２の外部ホストインタフェース
１４１，２４１  ホストＣＰＵ
１４２，２４２  プログラムＲＯＭ
１４３，２４３  データＲＡＭ
１４４，２４４  操作部
２１２  検知回路
２２４  切り替え回路
【図１】
0004473493.tif 000002
【図２】
0004473493.tif 000003